(57)【特許請求の範囲】
【請求項１】
左右方向に間隔を置いて設けた棚板等支持用の複数の支柱の上端部同士及び下端部同士を、上部連結部材及び下部連結部材をもってそれぞれ連結することにより、枠体を形成し、この枠体の下端部の外周を、幕板により覆うとともに、前記幕板上に支持したベース棚板の上面における支柱寄りの縁に設けた方形の切欠きに、上下方向を向く蛍光灯とした複数の照明装置の下端部を嵌合し、各照明装置の上下部を、前記上部連結部材及び下部連結部材または下部連結部材と平行に支持した横杆に、左右方向に取付位置調節可能として、かつ左右方向に任意の間隔で保持し、かつ前記枠体及び照明装置の周囲を、両側端に補強用の内向き側片が設けられた透光性の複数のカバーにより覆うとともに、カバーの外側において、棚板を、基端部が支柱に係止され、かつ隣接するカバーの内向き側片の間隙を通って、外方に延出するブラケットに支持したことを特徴とする照明付商品陳列棚。
【請求項２】
照明装置の上部に設けた下向フックを、上部連結部材に、左右方向に摺動可能として係止した請求項１記載の照明付商品陳列棚。
【請求項３】
照明装置の下部を左右から挟んで保持する１対の把持片を有する下部保持金具に設けた下向フックを、下部連結部材または横杆に、左右方向に摺動可能として係止した請求項１または２記載の照明付商品陳列棚。
【発明の詳細な説明】
【０００１】
【発明の属する技術分野】
本発明は、照明装置により展示効果を高めるようにした照明付商品陳列棚に関する。
【０００２】
【従来の技術】
従来の照明付商品陳列棚は、各棚の下面に設けた照明装置により、下段の棚を照らすようにしたものが一般的であり、特殊なものとしては、例えば、実開平２−８２９５７号公報に記載されているように、支柱内に蛍光灯を組み込んだものや、本出願人の先願である特願２００１−１０６０３５号の願書に添付した明細書及び図面に記載されているように、円形のタワー状の商品陳列棚の中央のポール部分に、照明装置を組み込んだもの等がある。
【０００３】
【発明が解決しようとする課題】
しかし、上述のような従来のいずれの照明付商品陳列棚も、照明装置がすべて支柱や棚板等の特定の部位に固定されているので、使用状況に応じて、明るさを変更したり、商品その他との関係で、影が生じないように、照明装置の取付位置を変更したりすることができず、不便であった。
【０００４】
本発明は、従来の技術が有する上記のような問題点に鑑み、照明装置の数や取付位置を簡単に変更できるようにすることにより、状況に応じた最適な照明効果を得ることができ、もって商品の展示効果を高めることができ、しかも構造が簡単で、安価に製造できるようにした照明付商品陳列棚を提供することを目的としている。
【０００５】
【課題を解決するための手段】
本発明によると、上記課題は次のようにして解決される。
(１)  左右方向に間隔を置いて設けた棚板等支持用の複数の支柱の上端部同士及び下端部同士を、上部連結部材及び下部連結部材をもってそれぞれ連結することにより、枠体を形成し、この枠体の下端部の外周を、幕板により覆うとともに、前記幕板上に支持したベース棚板の上面における支柱寄りの縁に設けた方形の切欠きに、上下方向を向く蛍光灯とした複数の照明装置の下端部を嵌合し、各照明装置の上下部を、前記上部連結部材及び下部連結部材または下部連結部材と平行に支持した横杆に、左右方向に取付位置調節可能として、かつ左右方向に任意の間隔で保持し、かつ前記枠体及び照明装置の周囲を、両側端に補強用の内向き側片が設けられた透光性の複数のカバーにより覆うとともに、カバーの外側において、棚板を、基端部が支柱に係止され、かつ隣接するカバーの内向き側片の間隙を通って、外方に延出するブラケットに支持する。
【０００６】
(２)  上記(１)項において、照明装置の上部に設けた下向フックを、上部連結部材に、左右方向に摺動可能として係止する。
【０００７】
(３)  上記(１)または(２)項において、照明装置の下部を左右から挟んで保持する１対の把持片を有する下部保持金具に設けた下向フックを、下部連結部材または横杆に、左右方向に摺動可能として係止する。
【０００８】
【発明の実施の形態】
以下、本発明の一実施形態を、添付図面を参照して説明する。
図１〜図３は、本発明の一実施形態を示す。
【０００９】
この照明付商品陳列棚は、左右方向に間隔を置いて並べられた棚板等支持用の複数(この例では３個)の支柱(１)と、互いに隣接する左右の支柱(１)(１)の上端部同士及び下端部同士をそれぞれ連結する上部連結部材(２)及び下部連結部材(３)と、各支柱(１)の下端部前後面に連結されて、支柱(１)が前後方向に倒れるのを防止する前後方向を向く水平の主脚(４)と、最も外側の支柱(１)の下端部外側面に連結されて、支柱(１)が左右方向に倒れるのを防止する左右方向を向く水平の側脚(５)とからなる枠体(６)を備えている。
【００１０】
最も外側の支柱(１)の外側面の前後方向の中央には、外側方に向かって突出する補助支柱(1a)が一体的に設けられ、最も外側の支柱(１)は平面視ほぼ外向Ｔ字状をなし、側脚(５)は、この補助支柱(1a)の外側面に連結されている。
【００１１】
各支柱(１)の前後面と、補助支柱(1a)の外側面とには、上下方向に等間隔をなす多数の係止孔(７)が、左右２列として設けられており、これらの所望のものに、ガラス等の透光性材料からなる棚板(８)(９)を支持するブラケット(10)の基端部に設けた下向きフック(10a)を係止し得るようになっている。棚板(８)は、直線部用のもので、平面視方形をなし、棚板(９)は、コーナー部用のもので、平面視半円弧状または４分の１円弧状をなしている。
【００１２】
各主脚(４)および側脚(５)の上側面には、それらと同一方向を向く垂直のベース支持材(11)が、その基端に設けたフック(図示略)を各支柱(１)の係止孔(７)に係止させることにより装着されている。
【００１３】
各ベース支持材(11)の先端部には、直線部用の垂直板状の幕板(12)と、コーナー部用の４分の１円弧状の垂直の幕板(13)と各側縁部が連結され、全幕板(12)(13)は、全体として平面視長円形状をなしている。これらの幕板(12)(13)は、鋼板等の遮光性の板材により形成するのが一般的であるが、必要に応じて、透明または半透明の透光性の板材により形成してもよい。
【００１４】
また、各ベース支持材(11)上には、平面視方形をなす直線部用の水平のベース棚板(14)と、平面視半円弧状または４分の１円弧状をなすコーナー部用の水平のベース棚板(15)とが、全体として平面視長円形状をなすようにして支持されている。
【００１５】
直線部用のベース棚板(14)における基端部、すなわち支柱(１)寄りの縁には、左右方向に長い方形の２個の方形切欠き(16)(16)が設けられており、またコーナー部用のベース棚板(15)の直線部の中央には、最も外側の支柱(１)から前後にそれぞれ４５度の傾斜角度をもって外側方に延出する２個の放射状切欠き(17)(17)が設けられている。
【００１６】
直線部用のベース棚板(14)における方形各切欠き(16)の開口縁には、両端部が方形切欠き(16)の開口縁部にねじ止めされた左右方向を向く横杆(18)が架設され、各方形切欠き(16)の開口部は閉結されている。
【００１７】
照明装置(19)は、上下方向を向く本体(20)の上下の端部に、上下方向を向く直管型の蛍光灯(21)の各端部を保持する上下１対のソケット(20a)(20a)を備えたものよりなり、本体(20)の背面上部にねじ止めした下向フック(22)を、上部連結部材(２)に、左右方向に摺動可能として係止し、かつ本体(20)の下部を左右から挟んで保持する１対の把持片(23)(23)を有する下部保持金具(24)に設けた下向フック(25)を、下部連結部材(３)と横杆(18)とのいずれか一方または両方(この例では横杆(18))に、左右方向に摺動可能として係止することにより、枠体(６)に左右方向に取付位置調節可能として支持されるようになっている。
【００１８】
このような複数の照明装置(19)が、上部連結部材(２)及び下部連結部材(３)の前後面に、下部がベース棚板(14)における切欠き(16)内に嵌合するようにして、左右方向に任意の間隔で取り付けられている。
【００１９】
必要に応じて、各下向フック(22)に、締付けねじ等の締着手段(図示略)を設け、これによって、下向フック(22)を、上部連結部材(２)の所望の位置に締着し、照明装置(19)が、振動等によって、枠体(６)から脱落したり、位置ずれしたりしないようにするのがよい。
【００２０】
コーナー部においては、上述したのと同様の２個の照明装置(19)が、それらの下部がベース棚板(15)の各放射状切欠き(17)に嵌合するようにして、最も外側の支柱(１)における補助支柱(1a)の前後の側面に、平面視Ｖ字状の上下１対のブラケット(26)をもって止着されている。
【００２１】
各支柱(１)の上端には、天板取付金具(27)が上方より嵌着され、この天板取付金具(27)を介して、全支柱(１)の上端に、左右方向を向く長円形の天板(28)が固着されている。
【００２２】
天板(28)の下面とベース棚板(14)(15)の上面とには、コーナー部が多角形をなすほぼ長円形の溝(29)(30)が設けられており、ここに、乳白色の半透明のアクリル板またはその他の透光性の材料よりなる照明カバー(31)の上下の端部が嵌合され、支持されている。
【００２３】
照明カバー(31)は、直線部用の単位カバー(32)とコーナー部用の単位カバー(33)とに複数に分割されており、各単位カバー(32)(33)の両側端には、補強用の内向き側片(32a)(33a)が設けられている。
棚板(８)(９)を支持するブラケット(10)は、これらの単位カバー(32)(33)の側端間の間隙を通って、外方に突出し、照明カバー(31)の外側において、棚板(８)(９)を支持している。
【００２４】
天板(28)側の溝(29)は、ベース棚板(14)(15)側の溝(30)より深く刻設してあり、各単位カバー(32)(33)を、若干斜めにして、その上端部を先に天板(28)側の溝(29)に嵌合した後、ほぼ垂直として、その下端部をベース棚板(14)(15)側の溝(30)に嵌合することにより、簡単に陳列棚に装着し得るようにしてある。
【００２５】
天板(28)側の溝(29)には、各単位カバー(32)(33)の内向き側片(32a)(33a)の上端部を嵌合するための内向き溝(29a)が設けられている。ベース棚板(14)(15)側の溝(30)には、このような内向き溝は設けてなく、代わりに、各単位カバー(32)(33)の内向き側片(32a)(33a)の下端縁を他部の下端縁より若干上位で終端するようにし、他部の下端縁が溝(30)に嵌合した状態で、内向き側片(32a)(33a)の下端縁がベース棚板(14)(15)の上面に当接するようにしてある。
【００２６】
この実施形態においては、商品陳列棚の使用状況に応じて、照明装置(19)の数や取付位置を簡単に変更することができる。
例えば、明るさをあまり必要としない場合は、互いに隣接する支柱(１)(１)間のほぼ中央に、前後１個ずつの照明装置(19)を、下向フック(22)(25)の左右幅だけ左右に位置をずらせて取り付けたり、明るくしたい場合は、互いに隣接する支柱(１)(１)間に、前後複数個ずつの照明装置(19)を、下向フック(22)(25)の左右幅だけ左右に位置をずらせて、等間隔で取り付けたりすることができる。
【００２７】
また、照明カバー(31)の表面に現れる明るさにむらがある場合は、左右の照明装置(19)の取付位置をずらして、むらがなくなるように調節したりすることもできる。
【００２８】
なお、上述したように、幕板(12)(13)を、半透明等の透光性の板材により形成すると、方形切欠き(16)を通ってベース棚板(14)(15)より下方に進入した各照明装置(19)の下部により、幕板(12)(13)が内部から照らされ、さらに照明効果を高めることができる。
【００２９】
【発明の効果】
請求項１記載の発明によると、次のような効果を奏することができる。
(ａ)  照明装置の数や取付位置を簡単に変更することができ、使用状況に応じた最適な照明効果を得ることができ、もって商品の展示効果を高めることができる。また、構造が簡単で、安価に製造できる。
【００３０】
(ｂ)  棚板の上下における明るさのむらをなくすことができる。
【００３１】
(ｃ)  照明装置の取付位置を左右方向に簡単に変更することができ、これによって、カバーの表面に現れる左右方向の明るさのむらをなくすように、簡単に調節することができる。
【００３２】
(ｄ)  使用状況に応じて、陳列棚の内部からの明るさを大幅に変更することができる。
【００３３】
(ｅ) 照明装置の下端部をベース棚板に設けた切欠きに上方より嵌合したことにより、照明しようとする部分、すなわちカバーの下端部の光量不足を解消することができるとともに、同部に影ができるのを防止することができ、さらに、幕板を透光性としたときは、ベース棚板より下方に進入した照明装置の下端部により、幕板を内側から照らし、ベース棚板の下方をも明るくして、照明効果を高めることができる。
【００３４】
請求項２記載の発明によると、照明装置の上部を、簡単な構造をもって、迅速に上部連結部材に装着することができる。
【００３５】
請求項３記載の発明によると、照明装置の下部を、簡単な構造をもって、下部連結部材または横杆に保持させることができる。
【図面の簡単な説明】
【図１】  本発明の一実施形態の外観斜視図である。
【図２】  同じく、ベース棚板より上方の部分を分解した分解斜視図である。
【図３】  同じく、全体を分解した分解斜視図である。
【図４】  同じく、天板を外した状態の平面図である。
【図５】  同じく、天板の底面図である。
【符号の説明】
(１)支柱
(1a)補助支柱
(２)上部連結部材
(３)下部連結部材
(４)主脚
(５)側脚
(６)枠体
(７)係止孔
(８)(９)棚板
(10)ブラケット
(10a)下向フック
(11)ベース支持材
(12)(13)幕板
(14)(15)ベース棚板
(16)方形切欠き
(17)放射状切欠き
(18)横杆
(19)照明装置
(20)本体
(20a)ソケット
(21)蛍光灯
(22)下向フック
(23)把持片
(24)下部保持金具
(25)下向フック
(26)ブラケット
(27)天板取付金具
(28)天板
(29)(30)溝
(29a)内向き溝
(31)照明カバー(カバー)
(32)(33)単位カバー
(32a)(33a)内向き側片
【図１】
0004202674.tif 000002
【図２】
0004202674.tif 000003
【図３】
0004202674.tif 000004
【図４】
0004202674.tif 000005
【図５】
0004202674.tif 000006